(57)【要約】      （修正有）【課題】選択項目が階層構造を持つ場合に、フリック入力によって階層構造の選択項目を選択することが可能なＸ線画像診断装置を提供する。【解決手段】Ｘ線画像診断装置は、サムネイル３００を表示するタッチパネル方式の画像表示部３２を備え、サムネイル３００がユーザによって選択されると、サムネイル３００に対する操作内容を選択項目３０２として表示する選択項目表示部と、選択項目表示部によって表示された選択項目３００を、フリック入力によってユーザに選択させるフリック入力選択部と、ユーザがフリック入力によって選択した選択項目３００が、階層構造を持つか否かを判定する階層構造判定部と、選択項目３０２が階層構造を持つ場合には、階層構造の操作内容を選択項目３０４として表示する階層構造表示部等を具備することを特徴とする。【選択図】図５
2014004123.tif 000002
【特許請求の範囲】
【請求項１】
Ｘ線画像のサムネイルを作成するサムネイル作成部と、前記サムネイルを表示するタッチパネル方式の画像表示部を備えたＸ線画像診断装置であって、
前記サムネイルがユーザによって選択されると、前記サムネイルに対する操作内容を選択項目として表示する選択項目表示部と、
前記選択項目表示部によって表示された選択項目を、フリック入力によって前記ユーザに選択させるフリック入力選択部と、
前記ユーザがフリック入力によって選択した前記選択項目が、階層構造を持つか否かを判定する階層構造判定部と、
前記選択項目が階層構造を持つ場合には、前記階層構造の操作内容を選択項目として表示する階層構造表示部と、
前記階層構造表示部によって表示された選択項目を、前記ユーザに選択させる階層構造選択部と、
を具備することを特徴とするＸ線画像診断装置。
【請求項２】
前記階層構造選択部は、前記ユーザに、前記階層構造表示部によって表示された選択項目を、フリック入力によって選択させることを特徴とする請求項１に記載のＸ線画像診断装置。
【請求項３】
前記画像表示部上で、前記サムネイルが前記ユーザによって選択された際、該選択された位置を検出する選択位置検出部を具備し、
前記選択項目表示部は、前記サムネイルが前記ユーザによって選択された位置の周囲に前記選択項目を表示することを特徴とする請求項１又は請求項２に記載のＸ線画像診断装置。
【請求項４】
前記階層構造表示部は、前記選択項目表示部によって表示され、前記ユーザがフリック入力によって選択した前記選択項目の周囲に、前記階層構造の操作内容を選択項目として表示することを特徴とする請求項１又は請求項２に記載のＸ線画像診断装置。
【請求項５】
前記階層構造表示部は、前記ユーザによって選択された階層構造の選択項目がさらなる階層構造を持つ場合には、前記選択項目表示部によって前記画像表示部に表示された選択項目を消して、さらなる階層構造の選択項目を表示することを特徴とする請求項３又は請求項４に記載のＸ線画像診断装置。
【請求項６】
前記画像表示部上で、前記サムネイルが前記ユーザによって選択された際、該選択された位置を検出する選択位置検出部を具備し、
前記サムネイルが前記ユーザによって選択された位置が、前記画像表示部上の隅の所定の範囲内にある場合には、前記選択項目表示部は、前記選択項目を前記画像表示部上に所定の方向に並べて表示することを特徴とする請求項１又は請求項２に記載のＸ線画像診断装置。
【請求項７】
前記階層構造表示部は、表示する前記選択項目が所定の数以上ある場合には、前記選択項目を一方向に並べて表示することを特徴とする請求項１又は請求項２に記載のＸ線画像診断装置。
【請求項８】
前記選択項目表示部は、前記階層構造表示部によって表示され、前回ユーザによって選択された前記選択項目を表示することを特徴とする請求項１又は請求項２に記載のＸ線画像診断装置。
【請求項９】
前記サムネイル作成部がサムネイルを作成するＸ線画像は、Ｘ線撮影画像の場合とＸ線透視画像の場合があり、
前記選択項目表示部は、前記Ｘ線画像がＸ線撮影画像の場合とＸ線透視画像の場合とで異なる選択項目を表示することを特徴とする請求項１又は請求項２に記載のＸ線画像診断装置。
【請求項１０】
前記選択項目表示部及び前記階層構造表示部は、前記選択項目を前記サムネイルに重ならない方向に表示することを特徴とする請求項１又は請求項２に記載のＸ線画像診断装置。
【発明の詳細な説明】
【技術分野】
【０００１】
本発明は、Ｘ線画像診断装置に関し、特にフリック入力によって階層的な選択操作を行うことのできるＸ線画像診断装置に関する。
【背景技術】
【０００２】
従来のタッチパネルを利用した入力デバイスには、フリック入力を利用した言語入力インターフェースがあった（例えば、特許文献１参照）。
【先行技術文献】
【特許文献】
【０００３】
【特許文献１】特開２００９−２６６２３６号公報
【発明の概要】
【発明が解決しようとする課題】
【０００４】
しかし、特許文献１には、選択項目が階層構造を持つ場合のインターフェースは開示されていない。このため、選択項目が階層構造を持つＸ線画像診断装置において、フリック入力によって階層構造の選択項目を選択することができなかった。
【０００５】
本発明は、上記の問題点に鑑みてなされたものであり、選択項目が階層構造を持つ場合に、フリック入力によって階層構造の選択項目を選択することが可能なＸ線画像診断装置を提供することを目的とする。
【課題を解決するための手段】
【０００６】
前述した目的を達成するために本発明は、Ｘ線画像のサムネイルを作成するサムネイル作成部と、前記サムネイルを表示するタッチパネル方式の画像表示部を備えたＸ線画像診断装置であって、前記サムネイルがユーザによって選択されると、前記サムネイルに対する操作内容を選択項目として表示する選択項目表示部と、前記選択項目表示部によって表示された選択項目を、フリック入力によって前記ユーザに選択させるフリック入力選択部と、前記ユーザがフリック入力によって選択した前記選択項目が、階層構造を持つか否かを判定する階層構造判定部と、前記選択項目が階層構造を持つ場合には、前記階層構造の操作内容を選択項目として表示する階層構造表示部と、前記階層構造表示部によって表示された選択項目を、前記ユーザに選択させる階層構造選択部と、を具備することを特徴とするＸ線画像診断装置である。
【発明の効果】
【０００７】
本発明によれば、選択項目が階層構造を持つ場合に、フリック入力によって階層構造の選択項目を選択することが可能なＸ線画像診断装置を提供することができる。
【図面の簡単な説明】
【０００８】
【図１】本発明に係るＸ線画像診断装置の構成例を示す図
【図２】制御部の機能を示す機能ブロック図
【図３】第１の実施の形態に係るＸ線画像診断装置の制御部で行われる処理の手順を示すフローチャート
【図４】選択項目が表示された様子を示す図
【図５】選択項目が選択され、その階層構造が表示された様子を示す図
【図６】階層構造の選択項目を選択する様子を示す図
【図７】選択項目が多階層である場合に、選択項目が表示された様子を示す図
【図８】サムネイルがユーザによって選択された位置が、画像表示部上の隅の所定の範囲内にある場合に、選択項目が表示された様子を示す図
【図９】表示する階層構造の選択項目が所定の数以上ある場合に、階層構造の選択項目が表示された様子を示す図
【図１０】選択項目及び階層構造の選択項目をサムネイルに重ならない方向に表示する場合に、選択項目及び階層構造の選択項目が表示された様子を示す図
【発明を実施するための形態】
【０００９】
以下図面に基づいて、本発明の実施の形態を詳細に説明する。
【００１０】
図１は、本発明に係るＸ線画像診断装置１の構成例を示す図である。図１に示すＸ線画像診断装置１は、被検体（ここでは、患者である被検者）１０を載せる天板１６、Ｘ線源１２、絞り部１４、高電圧発生部１８、Ｘ線検出器２０、画像処理部２２、画像記憶部２４、サムネイル作成部２６、制御部２８、入力部３０、画像表示部３２等を備えている。
【００１１】
Ｘ線源１２は、高電圧発生部１８から電力供給を受けてＸ線を発生させるＸ線管球を有する。Ｘ線源１２から発生したＸ線は、被検体１０に照射される。なお、Ｘ線源１２は、特定のエネルギーのＸ線を選択的に透過させるＸ線フィルタ等を有していてもよい。
【００１２】
絞り部１４は、Ｘ線源１２から発生したＸ線を遮蔽するＸ線遮蔽用鉛板を複数有し、複数のＸ線遮蔽用鉛板をそれぞれ移動することにより、被検体１０に対するＸ線照射領域を決定する。
【００１３】
Ｘ線検出器２０は、例えば、Ｘ線を検出する複数の検出素子が二次元アレイ状に配置されて構成されており、Ｘ線源１２から照射され、被検体１０を透過したＸ線の入射量に応じたＸ線信号を検出する。
【００１４】
画像処理部２２は、Ｘ線検出器２０から出力されたＸ線信号を画像処理し、画像処理されたＸ線画像を出力する。画像処理部２２で行われる画像処理は、例えば、ガンマ変換、階調変換処理、Ｘ線画像の拡大・縮小等である。
【００１５】
画像記憶部２４は、画像処理部２２から出力されたＸ線画像を記憶する。サムネイル作成部２６は、画像処理部２２から出力されたＸ線画像、又は画像記憶部２４に記憶されたＸ線画像のサムネイルを作成する。なお、サムネイルとは、例えば、ユーザが選択しやすいようにＸ線画像を縮小したものである。
【００１６】
制御部２８は、例えば、ＣＰＵ(Central Processing Unit)、ＲＡＭ(Random Access Memory)、ＲＯＭ(Read Only Memory)等から構成され、Ｘ線画像診断装置１全体を制御する。
【００１７】
入力部３０は、例えば、マウスやキーボードから構成され、制御部２８に対する指示等をユーザが入力する。
【００１８】
画像表示部３２は、例えば、液晶ディスプレイ等から構成され、制御部２８が出力する信号やサムネイル作成部２６が作成したサムネイルを表示する。また、本発明に係る画像表示部３２は、タッチパネル方式であり、後述するフリック入力やタッチ操作などにより、ユーザからの指示等を受け付け、制御部２８に出力する。なお、画像表示部３２のみで入力を行う場合は、マウスやキーボード等の入力部３０を設けなくてもよい。
【００１９】
図２は、制御部２８の機能を示す機能ブロック図である。なお、図２では、選択項目が階層構造を持つ場合に、フリック入力によって階層構造の選択項目を選択できるようにする機能を中心に説明する。
【００２０】
選択位置検出部５１は、画像表示部３２上で、サムネイルがユーザによって選択されると、その選択された位置を検出する。なお、ここで、ユーザによるサムネイルの選択とは、例えば、画像表示部３２上に表示されたサムネイルをタッチ操作（触れる）することである。
【００２１】
選択項目表示部５２は、画像表示部３２上に表示されたサムネイルがユーザによって選択されると、そのサムネイルに対する操作内容を選択項目として表示する。
【００２２】
フリック入力選択部５３は、選択項目表示部５２によって画像表示部３２上に表示された選択項目を、フリック入力によってユーザに選択させる。なお、ここで、フリック入力とは、タッチパネル方式の画像表示部３２の画面に触れた指を、上下左右などの方向に少しスライドさせる（ずらす）操作のことをいう。
【００２３】
階層構造判定部５４は、ユーザがフリック入力によって選択した選択項目が、階層構造を持つか否かを判定する。
【００２４】
階層構造表示部５５は、ユーザがフリック入力によって選択した選択項目が階層構造を持つ場合に、階層構造の操作内容を選択項目として画像表示部３２に表示する。
【００２５】
階層構造選択部５６は、階層構造表示部５５によって画像表示部３２に表示された階層構造の選択項目を、ユーザに選択させる。
【００２６】
＜第１の実施の形態＞
ここで、図３から図６を用いて第１の実施の形態に係るＸ線画像診断装置１の動作について説明する。図３は、本実施の形態に係るＸ線画像診断装置１の制御部２８で行われる処理の手順を示すフローチャートである。また、図４は、選択項目が表示された様子を示す図、図５は、選択項目が選択され、その階層構造が表示された様子を示す図、図６は、階層構造の選択項目を選択する様子を示す図である。
【００２７】
まず、画像表示部３２に表示されたサムネイル３００がタッチ操作すること等によって選択されると、選択位置検出部５１は、画像表示部３２の画面３２ａでのサムネイル３００の選択位置を検出する（Ｓ１０１）。そして、サムネイル３００がユーザによって選択され、選択位置が検出されると、選択項目表示部５２は、図４に示すように、選択項目３０２を画像表示部３２の画面３２ａに表示する（Ｓ１０２）。本実施の形態では、選択項目３０２は、選択位置の周囲の上下左右に表示される。また、図４の例では、選択位置の上下左右のそれぞれ、「送信」、「ＤＶＤ」、「表示」、「印刷」の選択項目３０２が表示されている。
【００２８】
次に、フリック入力選択部５３は、選択項目表示部５２によって画像表示部３２の画面３２ａに表示された選択項目３０２を、フリック入力によってユーザに選択させる（Ｓ１０３）。図４の例では、例えば、ユーザが指を上にフリックする（ずらす）と「送信」が選択され、ユーザが指を左にフリックすると「表示」が選択される。
【００２９】
それから、階層構造判定部５４は、Ｓ１０３でユーザがフリック入力によって選択した選択項目３０２が、階層構造を持つか否かを判定する（Ｓ１０４）。選択された選択項目３０２が階層構造を持たない場合には（Ｓ１０４のＮＯ）、制御部２８は、選択項目３０２の操作内容を実行して（Ｓ１０７）、処理を終了する。選択された選択項目３０２が階層構造を持つ場合には（Ｓ１０４のＹＥＳ）、Ｓ１０５の処理へ進む。
【００３０】
Ｓ１０４で、ユーザが選択した選択項目３０２が階層構造を持つと判定された場合には（Ｓ１０４のＹＥＳ）、階層構造表示部５５は、図５に示すように、階層構造の選択項目３０４を画像表示部３２の画面３２ａに表示する（Ｓ１０５）。図５の例では、Ｓ１０３で「送信」の選択項目３０２が選択され、その選択項目３０２の周囲に階層構造の選択項目３０４が表示される。図５の例では、「送信」の選択項目３０２の周囲の上及び左右に、階層構造の選択項目３０４の「装置１」、「装置２」、「装置３」が表示される。なお、階層構造の選択項目３０４は、ユーザが画像表示部３２の画面３２ａから指を離したり、一定時間経過した場合には、消えるようにしてもよい。
【００３１】
そして、階層構造の選択項目３０４が画像表示部３２の画面３２ａに表示されると、階層構造選択部５６は、図６に示すように、表示された階層構造の選択項目３０４をユーザに選択させる（Ｓ１０６）。図６の例では、Ｓ１０２で表示された「送信」の選択項目３０２が選択された後、ユーザが指を右にフリックして階層構造の選択項目３０４の「装置３」が選択される。
【００３２】
なお、本実施の形態では、階層構造選択部５６が、階層構造の選択項目３０４をユーザに選択させる際に、フリック入力によって選択させる。例えば、「装置３」の選択項目３０４を、さらにユーザが右にフリックすることにより、階層構造の選択項目３０４の「装置３」が選択される。また、Ｓ１０６において階層構造の選択項目３０４をユーザに選択させる際に、Ｓ１０２で表示された選択項目３０２を無効状態にするようにしてもよい。
【００３３】
Ｓ１０６で、ユーザが階層構造の選択項目３０４を選択すると、制御部２８は、その選択項目３０４の操作内容を実行して（Ｓ１０７）、処理を終了する。
【００３４】
以上のように、本実施の形態に係るＸ線画像診断装置１によれば、選択項目３０２が階層構造を持つ場合に、フリック入力によって階層構造の選択項目３０４を選択することが可能となる。また、階層構造の選択操作をフリック入力によって行うことができるため、直感的な操作が可能となり、操作効率を向上させることができる。
【００３５】
＜第２の実施の形態＞
本実施の形態では、選択項目が多階層である場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００３６】
図３のＳ１０６で、ユーザが階層構造の選択項目３０４を選択すると、階層構造判定部５４は、選択された階層構造の選択項目３０４がさらに階層構造を持つか否かを判定する。そして、選択された階層構造の選択項目３０４がさらに階層構造を持つ場合には、階層構造表示部５５は、図７に示すように、Ｓ１０２で表示された選択項目３０２を画像表示部３２の画面３２ａから消して、さらなる階層構造の選択項目３０６を表示する。
【００３７】
図７の例では、階層構造の選択項目３０４である「装置３」の周囲の上下及び右に、さらなる階層構造の選択項目「ＨＤＤ１」、「ＨＤＤ２」、「ＨＤＤ３」が表示される。そして、階層構造選択部５６は、さらなる階層構造の選択項目３０６を、フリック入力によってユーザに選択させる。なお、これよりさらに選択項目が多階層の場合でも、本実施の形態と同様の処理を行うことにより、階層構造の選択項目を選択することができる。
【００３８】
以上のように、本実施の形態に係るＸ線画像診断装置１によれば、選択項目が多階層の階層構造を持つ場合にも、フリック入力によって階層構造の選択項目３０６を選択することが可能となる。また、選択項目が多階層の階層構造を持ち、選択項目が多い場合でも、限られた表示領域内で選択項目を表示することが可能となる。その他の効果については、第１の実施の形態に係るＸ線画像診断装置１と同様である。
【００３９】
＜第３の実施の形態＞
本実施の形態では、サムネイル３００がユーザによって選択された位置が、画像表示部３２上の隅の所定の範囲内にある場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００４０】
図３のＳ１０１で、選択位置検出部５１は、画像表示部３２の画面３２ａで、サムネイル３００がユーザによって選択されると、その選択された位置を検出する。その際、サムネイル３００がユーザによって選択された位置が、画像表示部３２の画面３２ａの隅の所定の範囲内にある場合には、選択項目表示部５２は、図８に示すように、選択項目３０８を画像表示部３２の画面３２ａに所定の方向に並べて表示する。なお、画像表示部３２の画面３２ａの隅の所定の範囲内とは、例えば、図４に示すように選択項目３０２を選択位置の周囲の上下左右に表示できない範囲をいう。
【００４１】
図８の例では、サムネイル３００がユーザによって選択された位置が、画像表示部３２の画面３２ａの右下隅であるため、選択項目３０８を選択位置の周囲の上下左右に表示できない。このため、選択項目表示部５２は、選択項目３０８を画像表示部３２の画面３２ａに所定の方向に並べて表示する。なお、図８の例では、選択位置の上方向に２つの選択項目３０８が並べて表示され、選択位置の左方向に２つの選択項目３０８が並べて表示される。なお、本実施の形態では、階層構造の選択項目も、画像表示部３２の画面３２ａに所定の方向に並べて表示される。
【００４２】
以上のように、本実施の形態に係るＸ線画像診断装置１によれば、サムネイル３００がユーザによって選択された位置が、画像表示部３２の画面３２ａの隅であっても、フリック入力によって選択項目３０８を選択することが可能となる。また、Ｘ線画像のサムネイル３００の主に関心領域となる中心部に選択項目３０８が重なることがないため、サムネイル３００の関心領域を見ながら選択項目３０８を選択することが可能となる。その他の効果については、第１の実施の形態に係るＸ線画像診断装置１と同様である。
【００４３】
＜第４の実施の形態＞
本実施の形態では、表示する階層構造の選択項目が所定の数以上ある場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００４４】
図３のＳ１０３でユーザが選択項目３０２を選択し、Ｓ１０４で選択項目３０２が階層構造を持つと判定されると、階層構造表示部５５は、階層構造の選択項目を表示する。その際、階層構造表示部５５は、表示する階層構造の選択項目が所定の数（例えば、４つ）以上ある場合には、図９に示すように、すべての階層構造の選択項目が表示できるように階層構造の選択項目を一方向に並べて表示する。図９の例では、「送信」の選択項目３０２がユーザによって選択され、「装置１」、「装置２」、「装置３」、「装置４」の階層構造の選択項目３１２が、「送信」の選択項目３０２の下方向にリスト状に並べて表示される。なお、階層構造の選択項目３１２をユーザが選択する場合は、階層構造の選択項目３１２をフリックして選択してもよいし、タッチ操作で選択してもよい。
【００４５】
以上のように、本実施の形態に係るＸ線画像診断装置１によれば、表示する階層構造の選択項目３１２が所定の数以上ある場合にも、すべての階層構造の選択項目３１２を表示することができる。その他の効果については、第１の実施の形態に係るＸ線画像診断装置１と同様である。
【００４６】
＜第５の実施の形態＞
本実施の形態では、図３のＳ１０２で表示する選択項目として、前回ユーザに選択された階層構造の選択項目を表示する場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００４７】
本実施の形態では、選択項目表示部５２が、階層構造表示部５５によって表示され、前回ユーザによって選択された階層構造の選択項目を表示する。例えば、Ｓ１０２において、通常の「送信」、「表示」、「印刷」の選択項目３０２と、前回ユーザによって選択された階層構造の選択項目（例えば、「装置１」）が表示される。なお、前回ユーザによって選択された階層構造の選択項目は、選択位置の上下左右のいずれに表示してもよい。
【００４８】
以上のように、本実施の形態に係るＸ線画像診断装置１によれば、前回ユーザによって選択された階層構造の選択項目が表示されるため、頻繁に選択される階層構造の選択項目を容易に選択することができる。その他の効果については、第１の実施の形態に係るＸ線画像診断装置１と同様である。
【００４９】
＜第６の実施の形態＞
本実施の形態では、サムネイル作成部２６がサムネイル３００を作成するＸ線画像が、Ｘ線撮影画像の場合とＸ線透視画像の場合がある場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００５０】
サムネイル作成部２６がサムネイル３００を作成するＸ線画像が、Ｘ線撮影画像の場合は、サムネイル作成部２６は、Ｘ線撮影画像のサムネイルを作成する。なお、Ｘ線撮影画像とは、被検体１０の関心領域における詳細画像を取得するために、被検体１０に対し所定の強度のＸ線を短時間照射して得られた画像であり、一般的に静止画である。また、選択項目表示部５２は、Ｘ線画像がＸ線撮影画像の場合とＸ線透視画像の場合で共通の選択項目３０２の他に、Ｘ線撮影画像特有の選択項目が表示される。例えば、Ｘ線撮影画像特有の「表示」の選択項目が表示される。
【００５１】
サムネイル作成部２６がサムネイル３００を作成するＸ線画像が、Ｘ線透視画像の場合は、サムネイル作成部２６は、Ｘ線透視画像のサムネイルを作成する。なお、Ｘ線透視画像とは、被検体１０の関心領域における対象物の動きを見たい場合に、強度が低いＸ線を長時間照射して得られた画像であり、一般的に動画である。また、選択項目表示部５２は、Ｘ線画像がＸ線撮影画像の場合とＸ線透視画像の場合で共通の選択項目３０２の他に、Ｘ線透視画像特有の選択項目が表示される。例えば、Ｘ線透視画像特有の「再生」の選択項目が表示される。
【００５２】
また、Ｘ線画像がＸ線透視画像の場合には、フレームレートや画像枚数に影響される選択項目（例えば、「印刷」と「ＤＶＤ」）は、色づけされて表示される。例えば、「ＤＶＤ」の選択項目が選択されると、Ｘ線画像データがＤＶＤに記録されるが、「ＤＶＤ」の選択項目が選択された際に、階層構造の選択項目として、ＤＶＤに記録する際のフレームレートを表示するようにしてもよい。また、「印刷」の選択項目が選択された場合には、動画のサムネイルが停止し、「印刷しますか？」のメッセージと共に「ＹＥＳ」、「ＮＯ」のボタンを表示するようにしてもよい。
【００５３】
以上のように、本実施の形態に係るＸ線画像診断装置１によれば、Ｘ線画像がＸ線撮影画像とＸ線透視画像の場合で異なった操作が可能になる。その他の効果については、第１の実施の形態に係るＸ線画像診断装置１と同様である。
【００５４】
＜第７の実施の形態＞
本実施の形態では、選択項目及び階層構造の選択項目をサムネイルに重ならない方向に表示する場合について説明する。なお、以下に説明する点を除いて、本実施の形態に係るＸ線画像診断装置１は、第１の実施の形態に係るＸ線画像診断装置１と同様であり、第１の実施の形態に係るＸ線画像診断装置１と同一の構成要素については、同一の符号を付し、説明を省略する。
【００５５】
本実施の形態では、図１０（ａ）に示すように、画像表示部３２の画面３２ａに表示されたサムネイル３００ｃの周囲に、サムネイル３００ｃを選択するためのアイコン４００が表示されている。図１０（ａ）の例では、アイコン４００がサムネイル３００ｃの右上に表示されている。そして、ユーザがアイコン４００をタッチ操作等により選択すると、選択項目表示部５２は、図３のＳ１０２において、選択項目４０２をサムネイル３００ｃに重ならない方向に表示する。図１０（ａ）の例では、選択項目４０２がアイコン４００の下のサムネイル３００ｃの右側に、上下方向に並んで表示される。
【００５６】
次に、図３のＳ１０３において、ユーザが選択項目４０２を選択し、その選択項目４０２が階層構造を持つ場合には、階層構造表示部５５は、図１０（ｂ）に示すように、階層構造の選択項目４０４をサムネイル３００ｃに重ならない方向に表示する。図１０（ｂ）の例では、選択された「送信」の選択項目４０２の右側に、階層構造の選択項目４０４が横向きに並んで表示される。なお、選択項目４０２をユーザが選択するときに、選択された選択項目４０２以外の選択項目４０２を無効状態にするようにしてもよい。また、図１０（ｂ）では、階層構造の選択項目４０４が横向き並んで表示されるようになっているが、画像表示部３２の画面３２ａに入らない場合などには、縦向きに並べて表示するようにしてもよい。
【００５７】
以上のように、本実施の形態に係るＸ線画像診断装置１によれば、選択項目表示部５２及び階層構造表示部５５が、選択項目４０２及び階層構造の選択項目４０４をサムネイル３００ｃに重ならない方向に表示するため、選択項目４０２及び階層構造の選択項目４０４が邪魔にならず、サムネイル３００ｃを見ながら操作することが可能になる。その他の効果については、第１の実施の形態に係るＸ線画像診断装置１と同様である。
【００５８】
以上、添付図面を参照しながら、本発明に係るＸ線画像診断装置の好適な実施の形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５９】
１…………Ｘ線画像診断装置
１０………被検体
１２………Ｘ線源
１４………絞り部
１６………天板
１８………高電圧発生部
２０………Ｘ線検出器
２２………画像処理部
２４………画像記憶部
２６………サムネイル作成部
２８………制御部
３０………入力部
３２………画像表示部
３２ａ………画面
５１………選択位置検出部
５２………選択項目表示部
５３………フリック入力選択部
５４………階層構造判定部
５５………階層構造表示部
５６………階層構造選択部
３００………サムネイル
３０２、３０４………選択項目
【図１】
2014004123.tif 000003
【図２】
2014004123.tif 000004
【図３】
2014004123.tif 000005
【図４】
2014004123.tif 000006
【図５】
2014004123.tif 000007
【図６】
2014004123.tif 000008
【図７】
2014004123.tif 000009
【図８】
2014004123.tif 000010
【図９】
2014004123.tif 000011
【図１０】
2014004123.tif 000012